(57)【特許請求の範囲】
【請求項１】
角筒部と、
前記角筒部を構成する基板部と、
前記角筒部を構成し、前記基板部の左右両側縁から略直角に立ち上がる一対の側板部と、
前記角筒部を構成し、前記一対の側板部から略直角に延出して互いに略平行に対向するように配された一対の天板部と、
前記角筒部の前端側領域に配されて前記天板部を構成する前側板状部と、
前記基板部を基準とする高さが前記前側板状部よりも低く、前記前側板状部の後方に配されて前記天板部を構成する後側板状部と、
前記前側板状部の後端縁に形成され、前記角筒部が端子収容室に挿入された状態で前記端子収容室の内壁に形成されたランスと係止することで、前記角筒部を抜止めする係止部と、
前記前側板状部の前端から後方へ折り返されるように片持ち状に延出し、前記角筒部内に収容された弾性接触片と、
前記後側板状部から前方へ片持ち状に延出し、延出端の支持部において前記弾性接触片を前記ランス側から支持する補助バネ部と、
前記補助バネ部に形成され、前記支持部よりも後方の領域を前記ランスに近づくように屈曲させた形態の屈曲部とを備えていることを特徴とする端子金具。
【発明の詳細な説明】
【技術分野】
【０００１】
本発明は、端子金具に関するものである。
【背景技術】
【０００２】
特許文献１には、角筒部を有する端子金具が記載されている。角筒部は、基板部と、基板部の左右両側縁から略直角に立ち上がる一対の側板部と、一対の側板部から略直角に延出して互いに対向するように配された一対の天板部とを備えて構成されている。
【先行技術文献】
【特許文献】
【０００３】
【特許文献１】特開２００２−１９０３３６号公報
【発明の概要】
【発明が解決しようとする課題】
【０００４】
ところで、端子金具が角筒部の前端側領域に配されて天板部を構成する前側板状部と、基板部を基準とする高さが前側板状部よりも低く、前側板状部の後方に配されて天板部を構成する後側板状部と、前側板状部の後端縁に形成され、角筒部が端子収容室に挿入された状態で端子収容室の内壁に形成されたランスと係止することで、角筒部を抜止めする係止部と、前側板状部の前端から後方へ折り返されるように片持ち状に延出し、角筒部内に収容された弾性接触片と、後側板状部から前方へ片持ち状に延出し、延出端の支持部において弾性接触片をランス側から支持する補助バネ部とを備える場合に、ランスにおける係止部との係止代を増大させるために、後側板状部の位置をランスから遠くなる方へ変位させると、補助バネ部の位置もランスから遠くなる位置へ変位する。この場合、補助バネ部の支持部が、弾性接触片を挟んでランスとは反対側に位置し、その結果、補助バネ部による支持機能が失われることが懸念される。
本発明は上記のような事情に基づいて完成されたものであって、弾性接触片に対しランス側から正しく当接して支持することができるようにすることを目的とする。
【課題を解決するための手段】
【０００５】
上記の目的を達成するための手段として、本発明は、
角筒部と、
前記角筒部を構成する基板部と、
前記角筒部を構成し、前記基板部の左右両側縁から略直角に立ち上がる一対の側板部と、
前記角筒部を構成し、前記一対の側板部から略直角に延出して互いに略平行に対向するように配された一対の天板部と、
前記角筒部の前端側領域に配されて前記天板部を構成する前側板状部と、
前記基板部を基準とする高さが前記前側板状部よりも低く、前記前側板状部の後方に配されて前記天板部を構成する後側板状部と、
前記前側板状部の後端縁に形成され、前記角筒部が端子収容室に挿入された状態で前記端子収容室の内壁に形成されたランスと係止することで、前記角筒部を抜止めする係止部と、
前記前側板状部の前端から後方へ折り返されるように片持ち状に延出し、前記角筒部内に収容された弾性接触片と、
前記後側板状部から前方へ片持ち状に延出し、延出端の支持部において前記弾性接触片を前記ランス側から支持する補助バネ部と、
前記補助バネ部に形成され、前記支持部よりも後方の領域を前記ランスに近づくように屈曲させた形態の屈曲部とを備えているところに特徴を有する。
【発明の効果】
【０００６】
この構成によれば、前側板状部と後側板状部との高低差を利用して、係止部が形成される。また、ランスにおける係止部との係止代を増大させるために、後側板状部の位置をランスから遠くなる方へ変位させると、補助バネ部の位置もランスから遠くなる位置へ変位する。この場合、補助バネ部の支持部が、弾性接触片を挟んでランスとは反対側に位置し、その結果、補助バネ部による支持機能が失われることが懸念される。しかし、補助バネ部のうち弾性接触片への支持部よりも後方の領域には、ランスに近づくように屈曲させた形態の屈曲部を形成しているので、屈曲部が形成されていない場合に比べると、支持部の位置はランス側へ変位している。これにより、支持部は、弾性接触片をランス側から正しく支持することができる。
【図面の簡単な説明】
【０００７】
【図１】実施例１の端子金具の正面図
【図２】端子金具の側面図
【図３】端子金具の平面図
【図４】図１のＡ−Ａ線断面図
【図５】図４の部分拡大図
【図６】図４のＢ−Ｂ線断面図
【図７】図４のＣ−Ｃ線断面図
【図８】端子金具の展開図
【図９】実施例２の端子金具の断面図
【図１０】図９のＤ−Ｄ線断面図
【図１１】端子金具の展開図
【発明を実施するための形態】
【０００８】
＜実施例１＞
以下、本発明を具体化した実施例１を図１〜図８を参照して説明する。本実施例１の端子金具１０は、図８に示す形状に打ち抜かれた一定厚さの金属板材１１に曲げ加工等を施して成形され、図２，３に示すように、全体として前後方向に細長い形状に成形されている。端子金具１０の前端部には角筒部１２が形成され、端子金具１０の後端部には、電線（図示省略）を接続するためのオープンバレル状の電線圧着部１３が形成されている。角筒部１２の後端と電線圧着部１３の前端は、略Ｕ字形断面の連結部１４を介して繋がっている。尚、以下の説明では、前後方向に関して図２〜５の左方を前方とし、左右の方向については、図１，６，７を基準とする。
【０００９】
図２に示すように、端子金具１０は、合成樹脂製のハウジング３０に形成した端子収容室３１に対し後方から挿入されるようになっている。端子収容室３１の上側の内壁には、前方へ片持ち状に延出した形態のランス３２が形成されている。端子収容室３１に端子金具１０が挿入されると、ランス３２への係止によって端子金具１０（角筒部１２）が抜止めされるようになっている。端子収容室３１に挿入された角筒部１２には、その前方から相手側端子（図示省略）のタブが挿入されるようになっている。
【００１０】
図１〜４に示すように、角筒部１２は、基板部１５、右側板部１６Ｒ（本発明の構成要件である側板部）、左側板部１６Ｌ（本発明の構成要件である側板部）、一対の天板部１７Ｈ，１７Ｌ、弾性接触片２３及び補助バネ部２４とを備えて構成されている。基板部１５は、前後方向に細長い略長方形をなす。
【００１１】
右側板部１６Ｒは、前後方向に細長く、図１に示すように、基板部１５の正面に向かって右側の側縁の前後方向における全領域から、上方へ略直角に立ち上がっている。図２に示すように、右側板部１６Ｒの上端縁（立ち上がり端縁）は、前端部で高く、前端部よりも後方の領域は段差状に低くなっている。左側板部１６Ｌは、前後方向に細長く、図１に示すように、基板部１５の正面に向かって左側の側縁の前後方向における全領域から、上方へ略直角に立ち上がっている。図４に示すように、左側板部１６Ｌの上端縁（立ち上がり端縁）は、前後方向における略前半領域が高く、それよりも後方の略後半領域が段差状に低くなっている。
【００１２】
図４に示すように、一対の天板部１７Ｈ，１７Ｌは、角筒部１２の外面（上面）に露出しない内側の天板部１７Ｌと、内側の天板部１７Ｌを覆い隠して角筒部１２の外面に露出する外側の天板部１７Ｈとから構成される。内側の天板部１７Ｌは、前後に２分割され、前側内板部１８Ｆ（本発明の構成要件である前側板状部）と後側内板部１８Ｒ（本発明の構成要件である後側板状部）とによって構成されている。外側の天板部１７Ｈは、前後に２分割され、前側外板部１９Ｆ（本発明の構成要件である前側板状部）と後側外板部１９Ｒ（本発明の構成要件である後側板状部）とによって構成されている。
【００１３】
図２に示すように、前側内板部１８Ｆは、右側板部１６Ｒの上端縁のうち高くなっている前端部（前端側領域）から、片持ち状に略直角に延出して基板部１５と略平行に位置している。図６に示すように、前側内板部１８Ｆの延出端（自由端）には、前部係止突起２０Ｆが形成されている。前側外板部１９Ｆは、左側板部１６Ｌの上端縁のうち高くなっている略前半領域（前端側領域）から、片持ち状に略直角に延出して基板部１５と略平行に位置している。図５，６に示すように、前側外板部１９Ｆは、前側内板部１８Ｆの外面（基板部１５とは反対側の上面）に対し所定の隙間Ｓを空けて平行に対向するように配されている。前側外板部１９Ｆの後端縁は、ランス３２に係止される係止部２１となっている。
【００１４】
図６に示すように、左側板部１６Ｌの上端縁と前側外板部１９Ｆの左側縁とが略直角に繋がる角縁部には、前部係止孔２２Ｆが形成されている。前部係止孔２２Ｆに前部係止突起２０Ｆが差し込まれて係止されることで、前側内板部１８Ｆと前側外板部１９Ｆとが、上下に離間する方向への相対変位を規制された状態に位置決めされている。上下方向は、タブを弾性接触片２３と基板部１５との間で挟む方向であり、換言すると弾性接触片２３が弾性変形する方向を意味する。
【００１５】
図４に示すように、前側内板部１８Ｆの前端には、弾性接触片２３の基端部（前端部）が繋がっている。弾性接触片２３は、前側内板部１８Ｆの前端から斜め下後方へ折り返されて片持ち状に延出した形態であり、基端部を支点として上下方向に弾性変形し得るようになっている。上下方向における基板部１５と弾性接触片２３との間隔は、前端から後端に向かって次第に狭くなっており、弾性接触片２３の後端部において最も狭くなる。前方から角筒部１２内に挿入されたタブは、基板部１５と弾性接触片２３との間に割り込むように進入して、弾性接触片２３を上方へ弾性変位させる。これにより、タブは、弾性接触片２３の弾性復元力により、弾性接触片２３と基板部１５との間に弾性的に挟み付けられるようになっている。
【００１６】
図２に示すように、後側内板部１８Ｒは、右側板部１６Ｒの上端縁のうち低い領域の後端部から、片持ち状に略直角に延出して基板部１５と略平行に位置している。基板部１５を基準とする後側内板部１８Ｒの上面の高さは、前側内板部１８Ｆの下面よりも低い。後側内板部１８Ｒの延出端（自由端）には、後部係止突起２０Ｒが形成されている。後側外板部１９Ｒは、左側板部１６Ｌの上端縁のうち低くなっている略後半領域（後端側領域）から、片持ち状に略直角に延出して基板部１５と略平行に位置し、後側内板部１８Ｒの外面（基板部１５とは反対側の上面）に重ねられている。
【００１７】
基板部１５を基準とする後側外板部１９Ｒの上面の高さは、前側内板部１８Ｆの下面よりも低い。左側板部１６Ｌの上端縁に近い位置には、後部係止孔２２Ｒが形成されている。図４に示すように、後部係止孔２２Ｒに後部係止突起２０Ｒが差し込まれて係止されることで、後側内板部１８Ｒと、左側板部１６Ｌ及び後側外板部１９Ｒとが、上下方向への相対変位を規制された状態に位置決めされている。
【００１８】
図４に示すように、後側内板部１８Ｒの前端には、補助バネ部２４の基端部（後端部）が繋がっている。補助バネ部２４は、後側内板部１８Ｒの前端から前方へ片持ち状に延出した形態であり、後端部を支点として上下方向へ弾性変形し得るようになっている。補助バネ部２４の前端部（延出端部）は、弾性接触片２３の弾力を高めるための支持部２５となっている。支持部２５は、弾性接触片２３の後端部に対し上から（ランス３２側から）当接し得るように配されている。
【００１９】
補助バネ部２４は、全体として基板部１５と略平行に延出している。詳細には、補助バネ部２４の延出方向（前後方向）における略中央位置（つまり、支持部２５よりも後方に位置）には、上方（ランス３２側）へ立ち上がるように屈曲した屈曲部２６が形成されている。屈曲部２６が形成されていない場合に比べると、補助バネ部２４のうち屈曲部２６よりも前方の部分は、屈曲部２６の立ち上がり寸法分だけ上方（ランス３２側）へ変位している。補助バネ部２４のうち屈曲部２６が形成されている領域は、前側外板部１９Ｆの後端と後側外板部１９Ｒの前端との間において、角筒部１２の上方に露出している。
【００２０】
弾性接触片２３と基板部１５との間にタブが進入して弾性接触片２３が弾性変位すると、弾性接触片２３の後端部が支持部２５を上方へ押圧して補助バネ部２４を上方へ弾性変位させる。すると、補助バネ部２４の弾性復元力により、支持部２５が弾性接触片２３をタブがへ押圧するので、弾性接触片２３の弾力が高められ、弾性接触片２３とタブとの間の接触圧が高くなる。
【００２１】
本実施例１の端子金具１０は、所定形状に打ち抜いた金属板材１１に曲げ加工を施すことによって角筒部１２が成形されているが、材料の歩留まりを向上させる手段として、外側の天板部１７Ｈと内側の天板部１７Ｌのうち内側の天板部１７Ｌに繋がる右側板部１６Ｒの高さ（基板部１５からの立ち上がり寸法）、特に、前側内板部１８Ｆに繋がる前端側領域の高さを低くしている。ところが、右側板部１６Ｒの前端側領域の高さ寸法を小さくしたことにより、前側外板部１９Ｆ（外側の天板部１７Ｈ）と前側内板部１８Ｆ（内側の天板部１７Ｌ）との間に隙間Ｓが空いたため、角筒部１２の形状、特に角筒部１２の前端部の形状が不安定になることが懸念される。そこで、本実施例１では、材料の歩留まり向上を図りながら角筒部１２の形状を安定させる手段として、前側内板部１８Ｆに突出部２７を形成した。
【００２２】
図５，６，８に示すように、突出部２７は、前側内板部１８Ｆの一箇所を部分的に上方（つまり、前側外板部１９Ｆ側）へ叩き出すことによって形成されている。前後方向における突出部２７の形成領域は、前側内板部１８Ｆの中央部であり、左右方向における突出部２７の形成領域も、前側内板部１８Ｆの中央部である。また、突出部２７の平面形状は略方形である。そして、突出部２７の上面は、前側内板部１８Ｆの上面（外面）のうち突出部２７の形成されていない領域、及び前側外板部１９Ｆの下面（内面）と平行をなす平坦な当接面２８となっている。この突出部２７の当接面２８は、前側外板部１９Ｆの下面に対してほぼ面当たり状態で当接している。
【００２３】
本実施例１では、上述したように前部係止孔２２Ｆと前部係止突起２０Ｆとの係止により両板部１８Ｆ，１９Ｆの上下に離間する方向への相対変位を規制するとともに、突出部２７によって両板部１８Ｆ，１９Ｆの上下に接近する方向への相対変位を規制している。この規制構造により、材料の歩留まり向上を図るために、前側内板部１８Ｆと前側外板部１９Ｆの対向間隔（隙間Ｓ）を拡げても、前側内板部１８Ｆと前側外板部１９Ｆの上下方向における位置関係が安定し、角筒部１２の形状が安定する。したがって、本実施例１によれば、材料の歩留まり向上を図りながら、角筒部１２の形状を安定させることができる。
【００２４】
また、突出部２７における前側外板部１９Ｆとの接触領域は、前側外板部１９Ｆの内面と平行な当接面２８（平面）となっているので、突出部２７と前側外板部１９Ｆとが面当たりすることになる。これにより、前側内板部１８Ｆと前側外板部１９Ｆとの間では、前後方向の傾き及び左右方向の傾きが生じ難くなり、角筒部１２の形状が、より安定する。
【００２５】
また、本実施例１の端子金具１０は、角筒部１２の前端側領域に配された前側外板部１９Ｆと、基板部１５を基準とする高さが前側外板部１９Ｆよりも低くて前側外板部１９Ｆの後方に配された後側外板部１９Ｒと、前側外板部１９Ｆの後端縁に形成された係止部２１とを備えている。係止部２１は、角筒部１２が端子収容室３１に挿入された状態で端子収容室３１の内壁に形成されたランス３２と係止することで、角筒部１２（端子金具１０）を抜止めする。この構成は、前側外板部１９Ｆと後側外板部１９Ｒとの高低差を利用して、係止部２１を形成したことを意味する。
【００２６】
更に、本実施例１の端子金具１０は、前側内板部１８Ｆの前端から後方へ折り返されるように片持ち状に延出する弾性接触片２３と、後側内板部１８Ｒから前方へ片持ち状に延出し、延出端の支持部２５において弾性接触片２３をランス３２側から支持する補助バネ部２４と、補助バネ部２４に形成され、支持部２５よりも後方の領域をランス３２に近づくように屈曲させた形態の屈曲部２６とを備えている。
【００２７】
屈曲部２６を設けることの技術的意義は、次の通りである。ランス３２における係止部２１との係止代を増大させるために、後側内板部１８Ｒの位置をランス３２から遠ざかるように下方（基板部１５に近づく方向）へ変位させた場合、補助バネ部２４の位置もランス３２から遠くなる位置へ変位する。そのため、屈曲部２６を形成せずに、補助バネ部２４が、後側内板部１８Ｒの前端から前方へ下り勾配で延びる形態であった場合は、補助バネ部２４の支持部２５が、弾性接触片２３を挟んでランス３２とは反対側に（弾性接触片２３の下に潜り込むように）位置し、その結果、補助バネ部２４による支持機能が失われることが懸念される。しかし、本実施例１では、補助バネ部２４のうち弾性接触片２３への支持部２５よりも後方の領域に、ランス３２に近づくように屈曲させた形態の屈曲部２６を形成したので、屈曲部２６が形成されていない場合に比べると、支持部２５がランス３２側へ変位している。したがって、支持部２５は、弾性接触片２３に対しランス３２側から正しく当接して支持することができる。
【００２８】
＜実施例２＞
次に、本発明を具体化した実施例２を図９〜図１１を参照して説明する。本実施例２の端子金具４０は、突出部４１を上記実施例１とは異なる位置に形成したものである。その他の構成については上記実施例１と同じであるため、同じ構成については、同一符号を付し、構造、作用及び効果の説明は省略する。
【００２９】
上記実施例１の端子金具１０では、突出部２７を、前側内板部１８Ｆに形成して前側外板部１９Ｆの内面（下面）に当接させたが、本実施例２の端子金具４０では、突出部４１が、前側外板部１９Ｆに形成され、下方へ突出している。この突出部４１は平面からなる当接面４２を有し、当接面４２が、前側内板部１８Ｆの外面（上面）に対して面当たり状態で当接している。
【００３０】
＜他の実施例＞
（１）上記実施例１，２では、突出部を一対の天板部のうちいずれか一方のみに形成したが、突出部は一対の天板部の両方に形成してもよい。この場合、双方の突出部を、他方の天板部のうち突出部の形成されていない領域に当接させてもよく、双方の突出部同士を当接させてもよい。
（２）上記実施例１，２では、突出部における他方の天板部との接触領域が、他方の天板部と平行な平面であったが、突出部における他方の天板部との接触領域は、細長く線状に延びた形態でもよく、点のように狭く局所的に限定された形態であってもよい。
（３）上記実施例１，２では、突出部における他方の天板部との接触部位を、１箇所だけとしたが、１つの突出部における他方の天板部との接触部位が、複数箇所であってもよい。
（４）上記実施例１，２では、１つの天板部に１つの突出部を形成したが、１つの天板部に複数の突出部を形成してもよい。
（５）上記実施例１，２では、突出部を、前側板状部（前側内板部又は前側外板部）のみに形成したが、突出部は、前側板状部と後側板状部の両方に形成してもよく、後側板状部のみに形成してもよい。
（６）上記実施例１，２では、突出部を叩き出しによって形成したが、突出部は、切り起こしによって形成してもよい。
（７）上記実施例１，２では、前側内板部（内側の天板部）に弾性接触片が直接つながる形態としたが、前側内板部は、弾性接触片と直接つながらない形態でもよい。
【符号の説明】
【００３１】
１０…端子金具
１２…角筒部
１５…基板部
１６Ｌ…左側板部（側板部）
１６Ｒ…右側板部（側板部）
１７Ｈ…天板部
１７Ｌ…天板部
１８Ｆ…前側内板部（前側板状部）
１８Ｒ…後側内板部（後側板状部）
１９Ｆ…前側外板部（前側板状部）
１９Ｒ…後側外板部（後側板状部）
２１…係止部
２３…弾性接触片
２４…補助バネ部
２５…支持部
２６…屈曲部
２７…突出部
３１…端子収容室
３２…ランス
４０…端子金具
４１…突出部
【図１】
0005958629.tif 000002
【図２】
0005958629.tif 000003
【図３】
0005958629.tif 000004
【図４】
0005958629.tif 000005
【図５】
0005958629.tif 000006
【図６】
0005958629.tif 000007
【図７】
0005958629.tif 000008
【図８】
0005958629.tif 000009
【図９】
0005958629.tif 000010
【図１０】
0005958629.tif 000011
【図１１】
0005958629.tif 000012